(57)【要約】【課題】外部接続された表示器と、表示される画像との間で色空間を調整して、最適な色表現を行う。【解決手段】画像を記憶した記憶媒体から画像を読み出し、外部表示端子に接続された表示器の表示解像度を取得し、読み出された画像の解像度を判定し、取得された画像の解像度と判定された表示器の表示解像度の比較に基づき色変換係数を決定し、この決定された色変換のための係数を用いて読み出された画像の色を変換して外部表示端子に出力する。【選択図】      図４
2009225401.tif 000002
【特許請求の範囲】
【請求項１】
撮像手段と、
前記撮像手段によって得られた画像を記憶する記憶手段と、
前記画像データの色を変換する色変換手段と、
前記記憶手段から画像を読み出す読み出し手段と、
外部表示端子と、
前記外部表示端子に接続された表示器の解像度を取得する解像度取得手段と、
前記読み出し手段によって読み出された読み出し画像の解像度を判定する解像度判定手段と、
前記解像度取得手段によって取得された解像度と前記解像度判定手段によって判定された解像度の比較に基づき色変換係数を決定する係数決定手段と、
前記係数決定手段により決定された係数を用いて前記色変換手段が色変換した画像を前記外部表示端子に出力する表示制御手段と
を備えた撮像装置
【請求項２】
前記係数決定手段は、
前記解像度取得手段によって取得された解像度が高精細度であり、かつ、前記解像度判定手段によって判定された解像度が高精細度ではない場合にはＩＴＵ−Ｒ７０９からＩＴＵ−Ｒ６０１へと色変換する係数を決定し、
前記解像度取得手段によって取得された解像度が高精細度ではなく、かつ、前記解像度判定手段によって判定された解像度が高精細度であった場合にはＩＴＵ−Ｒ６０１からＩＴＵ−Ｒ７０９へと色変換する係数を決定し、
そのほかの場合には色変換を行わない係数を決定する
ことを特徴とする請求項１に記載の撮像装置。
【請求項３】
動画撮影中に所定の操作を検出すると前記撮像手段によって得られた画像に対して、動画の場合とは異なる色処理をした上で静止画として保存することを特徴とする請求項１に記載の撮像装置。
【請求項４】
画像を記憶した記憶媒体から画像を読み出す読み出し手段と、
前記画像データの色を変換する色変換手段と、
外部表示端子と、
前記外部表示端子に接続された表示器の解像度を取得する解像度取得手段と、
前記読み出し手段によって読み出された読み出し画像の解像度を判定する解像度判定手段と、
前記解像度取得手段によって取得された解像度と前記解像度判定手段によって判定された解像度の比較に基づき色変換係数を決定する係数決定手段と、
前記係数決定手段により決定された係数を用いて前記色変換手段が色変換した画像を前記外部表示端子に出力する表示制御手段と
を備えた画像処理装置。
【請求項５】
前記係数決定手段は、
前記解像度取得手段によって取得された解像度が高精細度であり、かつ、前記解像度判定手段によって判定された解像度が高精細度ではない場合にはＩＴＵ−Ｒ７０９からＩＴＵ−Ｒ６０１へと色変換する係数を決定し、
前記解像度取得手段によって取得された解像度が高精細度ではなく、かつ、前記解像度判定手段によって判定された解像度が高精細度であった場合にはＩＴＵ−Ｒ６０１からＩＴＵ−Ｒ７０９へと色変換する係数を決定し、
そのほかの場合には色変換を行わない係数を決定する
ことを特徴とする請求項４に記載の画像処理装置。
【請求項６】
画像を記憶した記憶媒体から画像を読み出すステップと、
外部表示端子に接続された表示器の解像度を取得するステップと、
読み出された画像の解像度を判定するステップと、
取得された表示器の解像度と判定された画像の解像度の比較に基づき色変換係数を決定するステップと、
この決定された係数を用いて読み出された画像の色を変換し外部表示端子に出力するステップと
を備えた画像処理方法。
【発明の詳細な説明】
【技術分野】
【０００１】
本発明は、最適な色表現で画像を表示する撮像装置、画像処理装置および画像処理方法に関する。
【背景技術】
【０００２】
最近、高精細度（Ｈｉｇｈ  Ｄｅｆｉｎｉｔｉｏｎ：以後ＨＤと記す）動画撮影が可能なデジタルカメラが開発されてきている。これらのデジタルカメラでは、ＨＤ動画撮影、標準精細度（Ｓｔａｎｄａｒｄ  Ｄｅｆｉｎｉｔｉｏｎ：以後ＳＤと記す）動画撮影、静止画撮影、動画撮影中の静止画撮影などが行なえる。一方、ＨＤテレビが普及しつつあり、これらのデジタルカメラで撮影したＨＤ動画や静止画をテレビで鑑賞するという提案もされてきている（例えば特許文献１参照）。
【特許文献１】特開２００６−２５３９８４号公報
【０００３】
このようなデジタルカメラで使用されている色空間は、一例として、ＨＤ動画：ＩＴＵ−Ｒ７０９、ＳＤ動画：ＩＴＵ−Ｒ６０１、静止画：ＩＴＵ−Ｒ６０１というように複数有り、一方で外部接続される表示装置、例えばテレビ側でも、ＨＤ表示ではＩＴＵ−Ｒ７０９、ＳＤ表示ではＩＴＵ−Ｒ６０１と複数の色空間が使用されている。したがって、このようなデジタルカメラをテレビに接続して例えばＨＤ動画、ＳＤ動画、静止画を混在させたスライドショーを行う場合には、デジタルカメラ側の画像の色空間と、テレビ側の色空間とを考慮して、適宜適切な色空間変換処理を行なう必要がある。
【発明の開示】
【発明が解決しようとする課題】
【０００４】
しかし、これら色空間を示す情報は必ずしも画像に付加されているというわけではなく、表示器側も使用中の色空間がどれであるかと言う情報を必ずしも外部に出しているものではない。このため表示されるべき画像と表示器の間で色空間の不一致が起こり、最適な色表現がなされないという問題があった。
【課題を解決するための手段】
【０００５】
請求項１に記載の発明では、撮像手段と、撮像手段によって得られた画像を記憶する記憶手段と、画像データの色を変換する色変換手段と、記憶手段から画像を読み出す読み出し手段と、外部表示端子と、外部表示端子に接続された表示器の解像度を取得する解像度取得手段と、読み出し手段によって読み出された読み出し画像の解像度を判定する解像度判定手段と、解像度取得手段によって取得された解像度と解像度判定手段によって判定された解像度の比較に基づき色変換係数を決定する係数決定手段と、係数決定手段により決定された係数を用いて色変換手段が色変換した画像を外部表示端子に出力する表示制御手段とを備えたことを特徴とする撮像装置を提供する。
【０００６】
請求項２に記載の発明では、係数決定手段は、解像度取得手段によって取得された解像度が高精細度であり、かつ、解像度判定手段によって判定された解像度が高精細度ではない場合にはＩＴＵ−Ｒ７０９からＩＴＵ−Ｒ６０１へと色変換する係数を決定し、解像度取得手段によって取得された解像度が高精細度ではなく、かつ、解像度判定手段によって判定された解像度が高精細度であった場合にはＩＴＵ−Ｒ６０１からＩＴＵ−Ｒ７０９へと色変換する係数を決定し、そのほかの場合には色変換を行わない係数を決定することを特徴とする請求項１に記載の撮像装置を提供する。
【０００７】
請求項３記載の発明では、動画撮影中に所定の操作を検出すると撮像手段によって得られた画像に対して、動画の場合とは異なる色処理をした上で静止画として保存することを特徴とする請求項１に記載の撮像装置を提供する。
【０００８】
請求項４記載の発明では、画像を記憶した記憶媒体から画像を読み出す読み出し手段と、画像データの色を変換する色変換手段と、外部表示端子と、外部表示端子に接続された表示器の解像度を取得する解像度取得手段と、読み出し手段によって読み出された読み出し画像の解像度を判定する解像度判定手段と、解像度取得手段によって取得された解像度と解像度判定手段によって判定された解像度の比較に基づき色変換係数を決定する係数決定手段と、係数決定手段により決定された係数を用いて色変換手段が色変換した画像を外部表示端子に出力する表示制御手段とを備えた画像処理装置を提供する。
【０００９】
請求項５記載の発明では、係数決定手段は、解像度取得手段によって取得された解像度が高精細度であり、かつ、解像度判定手段によって判定された解像度が高精細度ではない場合にはＩＴＵ−Ｒ７０９からＩＴＵ−Ｒ６０１へと色変換する係数を決定し、解像度取得手段によって取得された解像度が高精細度ではなく、かつ、解像度判定手段によって判定された解像度が高精細度であった場合にはＩＴＵ−Ｒ６０１からＩＴＵ−Ｒ７０９へと色変換する係数を決定し、そのほかの場合には色変換を行わない係数を決定することを特徴とする請求項４に記載の画像処理装置を提供する。
【００１０】
請求項６記載の発明では、画像を記憶した記憶媒体から画像を読み出すステップと、外部表示端子に接続された表示器の解像度を取得するステップと、読み出された画像の解像度を判定するステップと、取得された表示器の解像度と判定された画像の解像度の比較に基づき色変換係数を決定するステップと、この決定された係数を用いて読み出された画像の色を変換し外部表示端子に出力するステップとを備えた画像処理方法を提供する。
【発明の効果】
【００１１】
本発明によれば、表示されるべき画像と表示器の間で色空間を一致させることができ、最適な色表現がなされる。
【発明を実施するための最良の形態】
【００１２】
以下に、本発明について、図面を用いて具体的な態様を説明する。ただし、発明の範囲は、図示例に限定されない。
【００１３】
［実施形態１］
図１は、本発明を適用した実施形態１の撮像装置の概略構成を示すブロック図である。
撮像装置は、例えば、図１に示すように、撮像部１、現像処理部２、色空間変換部３、画像処理部４、動画処理部５、静止画処理部６、記録メディア制御部７、記録メディア８、メモリ９、ＣＰＵ１０、ユーザＩ／Ｆ１１、表示制御部１２、外部表示接続端子１３を備えている。
【００１４】
撮像部１は撮像レンズ群と撮像レンズ群を通過した被写体像を二次元の画像信号に変換するＣＣＤやＣＭＯＳ等のイメージセンサを含んで構成されている。撮像部１はイメージセンサからの撮像データに対して各種補正処理を行ない、ＲＡＷ（Ｂａｙｅｒ）データを生成してメモリ９に格納する。現像処理部２は、撮像部１がメモリ９に格納したＲＡＷデータの現像処理（Ｂａｙｅｒ→ＲＧＢ変換）を行い、ＲＧＢデータを色空間変換部３に出力する。
【００１５】
色空間変換部３は、記録時には現像処理部２からのＲＧＢデータをＹＣｂＣｒデータに変換してメモリ９に格納し、再生時にはメモリ９からＹＣｂＣｒデータを読み出し、必要に応じてＩＴＵ−Ｒ６０１ ＹＣｂＣｒ→ＩＴＵ−Ｒ７０９ ＹＣｂＣｒ,ＩＴＵ−Ｒ７０９ ＹＣｂＣｒ→ＩＴＵ−Ｒ６０１ ＹＣｂＣｒのような色空間の変換処理を行ない、ＹＣｂＣｒデータを表示制御部１２に出力する。
【００１６】
画像処理部４は、色空間変換部３がメモリ９に格納したＹＣｂＣｒデータに対してサイズ変換や画像調整等の処理を行ない、処理後のデータをメモリ９に格納する。動画処理部５は、記録時にはＹＣｂＣｒデータをメモリ９から読み出しＭＰＥＧ等の圧縮処理を行なってメモリ９に書き込み、再生時にはＭＰＥＧデータをメモリ９から読み出し、これを伸長して得たＹＣｂＣｒの動画データをメモリ９に出力する。静止画処理部６は記録時にはＹＣｂＣｒデータをメモリ９から読み出しＪＰＥＧ等の圧縮処理を行なってメモリ９に書き込み、再生時にはＪＰＥＧデータをメモリ９から読み出し、これを伸長して得たＹＣｂＣｒの静止画データをメモリ９に出力する。
【００１７】
記録メディア制御部７は、記録メディア８の制御全般を行なうブロックであり、ＭＰＥＧデータやＪＰＥＧデータの読み書きなどを行なう。ＣＰＵ１０は図１の撮像部全体を制御したり、シャッターキーや動画撮影開始キーその他のキーから成るユーザＩ／Ｆ１１の制御をしたりする。表示制御部１２は、例えばＨＤＭＩ端子からなる外部表示接続端子１３を通じて、外部表示器（例えばテレビ）に映像データや音声データを出力したり、外部表示器の解像度などの諸情報を取得する。また表示制御部１２は、外部表示器（例えばテレビ）に映像データを出力する際のブランキング期間開始をＣＰＵ１０に伝えたりする。
【００１８】
以下で、本実施形態におけるスチルインＨＤムービーの処理について、図２を用いて具体的に説明する。本実施形態では、ＨＤ動画の色空間をＩＴＵ−Ｒ７０９、ＳＤ動画及び静止画の色空間をＩＴＵ−Ｒ６０１であるとする。ＣＰＵ１０は、ユーザによるＨＤ動画撮影キー（図示せず）の押下を検出すると（ステップＳ００１）、色空間変換部３に対して、生成するデータの色空間がＩＴＵ−Ｒ７０９になるように設定を行なう（ステップＳ００２）。そして、撮像部、現像処理部、色空間変換部３、画像処理部４、動画処理部５、記録メディア制御部７にＨＤ動画撮影の開始を指示する。すると、撮像部は１/３０秒毎にＲＡＷデータをメモリ９に書き込む（ステップＳ００３）。そして、ＨＤ動画の撮影中にシャッターキー（図示せず）が押下されたことをＣＰＵ１０が検出すると（ステップＳ００４）、ＣＰＵ１０は撮像部に対して、メモリ９上に静止画用のＲＡＷデータを保存するように指令する。すると、撮像部はメモリ９上の動画用とは別の領域に静止画用のＲＡＷデータを保存する（ステップＳ００５）。
【００１９】
スチルインＨＤムービーを行なうときには、メモリ９上のＲＡＷデータの保存先は、図３に示すようなバッファ構成にしておく。図３を見ると、ＲＡＷ０〜ＲＡＷ９までの１０ヶの領域がある。ひとつの領域は、静止画用のＲＡＷデータ１つ分の格納ができる。スチルインＨＤムービーの際には、撮像部は、ＣＰＵ１０からの指令される度に、図３の領域に静止画用のＲＡＷデータを、ＲＡＷ０→ＲＡＷ１→ＲＡＷ２→・・・と順に保存していく。図３では１０ヶ分の静止画用ＲＡＷデータを保存できる。従って、ＨＤ動画の撮影開始から終了までの間に、スチルインＨＤムービーにより１０枚分の静止画撮影ができることになる。なお、ＣＰＵ１０は、静止画用のＲＡＷデータの保存枚数を管理しておき、１０枚以上の静止画撮影を行なわないようにする。
【００２０】
静止画用のＲＡＷデータが記録されると、動画用のＲＡＷデータを現像処理部が読み出し、ＲＧＢデータを生成する。ＲＧＢデータはそのまま色空間変換部３に渡される。色空間変換部３では、ＲＧＢデータをＩＴＵ−Ｒ７０９ ＹＣｂＣｒデータに変換し、それを画像処理部４に渡す。画像処理部４では、ＹＣｂＣｒデータをＨＤ動画サイズに合わせるようにサイズに変換し、画像調整処理等を行なってＹＣｂＣｒデータをメモリ９に書き込む。続いてメモリ９に書き込まれたＹＣｂＣｒデータは動画処理部５により読み出されてＭＰＥＧ圧縮処理されて再びメモリ９に書き込まれる（ステップＳ００６）。
【００２１】
ユーザによりＨＤ動画の撮影が終了されると（ステップＳ００７）、最終フレームまでのＭＰＥＧデータ処理が完了する（動画処理部５によるメモリ９上へのＭＰＥＧデータの格納の完了）のをＣＰＵ１０は待つ。そして、ＭＰＥＧデータ処理が完了したら、スチルインＨＤムービーによって一枚以上の静止画用ＲＡＷデータを格納しているならば、ＣＰＵ１０は色空間変換部３に対して、生成するデータの色空間がＩＴＵ−Ｒ６０１になるように設定する（ステップＳ００８）。そして、ＨＤ動画撮影中に保存した静止画用のＲＡＷデータをＪＰＥＧ化する（ステップＳ００９）。静止画用のＲＡＷデータをＪＰＥＧ化するときには、ＣＰＵ１０は、現像処理部、色空間変換部３、画像処理部４、静止画処理部６、記録メディア制御部７に１枚分の静止画処理の開始を指示する。その際、現像処理部には、静止画用のＲＡＷデータの格納先として、図３のＲＡＷ０の領域のアドレスを通知する。つまり、現像処理部は、ＲＡＷ０の領域からＲＡＷデータを読み出して、現像処理を行なう。現像処理によりＲＧＢデータに変換されると、色空間変換部３に送られる。色空間変換部３では、ＲＧＢ→ＩＴＵ−Ｒ６０１ ＹＣｂＣｒ変換を行い、それを画像処理部４に渡す。画像処理部４では、ＹＣｂＣｒデータを静止画サイズに合わせるようにサイズに変換し、画像調整処理等を行なってＹＣｂＣｒデータをメモリ９に書き込む。続いてメモリ９に書き込まれたＹＣｂＣｒデータは静止画処理部６により読み出されてＪＰＥＧ圧縮処理されて再びメモリ９に書き込まれる。ＪＰＥＧ圧縮されたデータは記録メディア制御部７が読み出し、記録メディア８に書き込みを行なう。これによって、１枚分の静止画撮影が完了する。
【００２２】
その後、同様に、ＣＰＵ１０はすべての静止画用ＲＡＷデータのＪＰＥＧ化が完了するまで処理を繰り返す（ステップＳ０１０）。但し、現像処理部に通知するアドレスは、ＲＡＷ１,ＲＡＷ２,・・・と順番に変えていく。保存した全ての静止画用のＲＡＷデータのＪＰＥＧ化が終わり、記録メディア制御部７による記録メディア８への格納が終われば、スチルインＨＤムービーにより撮影された静止画の処理が完了する。このようにすることで、ＨＤ動画撮影と、スチルインＨＤムービーの静止画を適切な色空間で処理することができるようになる。
【００２３】
以上で述べたように、ＨＤ動画撮影開始時には、色空間変換部３をＩＴＵ−Ｒ７０９に設定しておき、スチルインＨＤムービーの際には、静止画用のＲＡＷデータをメモリ９上に溜めておく。そして、ＨＤ動画の撮影が終了したら、色空間変換部３をＩＴＵ−Ｒ６０１に設定してから静止画処理をまとめて行なうようにする。このように制御することで、ＨＤ動画と静止画における色空間を適切にできる。
【００２４】
なお、スチルインＨＤムービーの際に、ＨＤ動画の撮影が完了した後に、色空間変換部３の設定を変更して静止画の処理をまとめて処理するようにしたが、動画のフレーム単位の処理が１フレーム分の時間（例えば１/３０秒）以内で終わるようであれば、１フレーム分の時間において動画の処理が行われていない時間に静止画を処理してもよい。その場合には、１フレーム分の動画処理が終わった時点で、色空間変換部３を静止画用の設定に変更し、静止画の処理を行い、次のフレームにおける動画の処理が始まる前に、色空間変換部３を動画用の設定に戻すようにすればよい。このようにすると、スチルインＨＤムービーの撮影枚数が、図３のようにバッファの容量に制限されなくなり、さらに使い勝手のよいスチルインＨＤムービーが実現できるようになる。
【００２５】
このようなデジタルカメラにおいて、静止画とＨＤ動画とＳＤ動画を混在させたスライドショーを行なう場合について図４のフローチャートを用いて説明する。なお、ここでのスライドショーとは、静止画とＨＤ動画とＳＤ動画を所定の順番で再生表示するものを示す。表示制御部１２は、外部表示接続端子１３にＨＤＭＩケーブルによってテレビが接続されたのを確認すると（ステップＳ１０１）、ＣＰＵ１０にそれを通知する。ＣＰＵ１０は接続されたテレビの表示解像度を取得するように表示制御部１２に指示を出す。表示制御部１２はテレビと通信を行ない、テレビ側の表示解像度を取得し、ＣＰＵ１０に通知する（ステップＳ１０２）。続いてＣＰＵ１０は、テレビ表示用のファイル（ＨＤ動画やＳＤ動画のＭＰＥＧファイル、もしくは静止画のＪＰＥＧファイル）を記録メディア８から読み出すように、記録メディア制御部７に指示を出す（ステップＳ１０３）。記録メディア制御部７では、記録メディア８からＣＰＵ１０１により指定されたファイルを読み出し、メモリ９上に格納する。
【００２６】
ＣＰＵ１０はメモリ９上に格納されたファイルを調査し、当該ファイルの画像解像度を含むファイル情報を取得する（ステップＳ１０４）。解像度取得手段によって取得された解像度と解像度判定手段によって判定された解像度が次の「条件１」を満たすかどうかを調べる（ステップＳ１０５）。
条件１：解像度取得手段によって取得された解像度がＨＤではなく、かつ、前記解像度判定手段によって判定された解像度がＨＤである；
「条件１」が満たされた場合には（ステップＳ１０５でＹ）、ＩＴＵ−Ｒ６０１からＩＴＵ−Ｒ７０９へと色変換する係数を色空間変換部３にセットする（ステップＳ１０６）。「条件１」が満たされなかった場合には（ステップＳ１０５でＮ）、次の「条件２」を満たすかどうかを調べる（ステップＳ１０７）。
条件２：解像度取得手段によって取得された解像度がＨＤであり、かつ、解像度判定手段によって判定された解像度がＨＤではない；
「条件２」が満たされた場合には（ステップＳ１０７でＹ）、ＩＴＵ−Ｒ７０９からＩＴＵ−Ｒ６０１へと色変換する係数を色空間変換部３にセットする（ステップＳ１０８）。条件２が満たされなかった場合には（ステップＳ１０７でＮ）、色変換を行わない係数を色空間変換部３にセットする（ステップＳ１０９）。
【００２７】
続いてＣＰＵ１０は表示制御部１２からテレビ出力信号のブランキング期間を示す通知を取得し、ブランキング期間中であるかどうかを調べる（ステップＳ１１０）。ブランキング期間中であれば（ステップＳ１１０でＹ）色空間変換部３に対する設定変更を行なう。ブランキング期間中でなければ（ステップＳ１１０でＮ）待機する。これは、ブランキング期間ではなく、有効な映像信号をテレビに出力している最中に色空間変換設定を変更してしまうと、テレビの表示にノイズのようなチラつきが出たり、色合いがおかしくなったりする恐れがあるからである。
【００２８】
色空間変換部３における設定変更が完了した後、ＣＰＵ１０は、色空間変換部３、表示制御部１２、そしてメモリ９上に保管しているファイルがＨＤ動画用のＭＰＥＧファイルの場合は動画処理部５に、ファイルが静止画用のＪＰＥＧファイルの場合には静止画処理部６に対して、テレビへの再生表示の指示を出す。
【００２９】
動画再生の場合には、動画処理部５がメモリ９上に保管されているファイルからＭＰＥＧデータを読み出して伸長し、ＹＣｂＣｒデータをメモリ９上に保管する。その保管したＹＣｂＣｒデータは色空間変換部３により読み出され、色空間変換部３における上記の設定に従った色空間変換が行なわれる。そして、色空間変換が行なわれたＹＣｂＣｒデータは、テレビ側の色空間に合わされたＹＣｂＣｒデータとなり、表示制御部１２に対して出力される。表示制御部１２ではこのＹＣｂＣｒデータをテレビ出力信号に載せてテレビに出力する。一方、静止画再生の場合には、静止画処理部６がメモリ９上に保管されているファイルからＪＰＥＧデータを読み出して伸長し、ＹＣｂＣｒデータをメモリ９上に保管する。その保管したＹＣｂＣｒデータは色空間変換部３により読み出され、色空間変換部３における上記の設定に従った色空間変換が行なわれる。そして、色空間変換が行なわれたデータは、テレビ側の色空間に合わせたＹＣｂＣｒデータとなり、表示制御部１２に対して出力される。そして表示制御部１２ではテレビ側の色空間に合わされたＹＣｂＣｒデータをテレビ出力信号に載せてテレビに出力する（ステップＳ１１２）。
【００３０】
そして、動画再生の場合にはフレームレートに対応した所定の時間（例えば１／３０秒）、静止画再生の場合にはスライドショー設定で定められた所定の時間（例えば３秒）が経過した後にステップＳ１０３に戻って前述の処理を繰り返す。
【００３１】
本実施形態によれば、スチルインＨＤムービー等のように、撮影時においてＨＤ動画の色空間と静止画の色空間が異なるような場合でも、それぞれに適した色空間の撮影ができるようになる。また、ＨＤ動画、ＳＤ動画と静止画を混在させたスライドショー再生のように、色空間が異なる複数の画像データを複数の色空間を持つテレビに表示出力する際でも、各画像の解像度とテレビの表示解像度から、各画像データの色空間とテレビ側の色空間に考慮した色空間変換を行ってテレビ表示するようにしているので、テレビで正しい色合いの表示ができるようになる。
【００３２】
本実施形態における説明では、色空間はＩＴＵ−Ｒ７０９とＩＴＵ−Ｒ６０１であったが、これに限定されるものではない。本実施形態における説明では、色空間の異なるファイルをスライドショー再生する場合について説明したが、本発明はスライドショーに限定するものではなく、色空間の異なる画像データを表示する場合に適用できるものである。また本実施形態における説明では、テレビ表示することを前提に説明したが、テレビに限るものではない。例えば、映像出力先が、ＰＣモニタなどの表示装置であっても、本発明は適用できる。
【００３３】
以上、この発明の実施形態につき、図面を参照して詳述してきたが、具体的な構成はこの実施形態に限られるものではなく、この発明の要旨を逸脱しない範囲の設計等も含まれる。
【図面の簡単な説明】
【００３４】
【図１】第１の実施形態に係る撮像装置の構成図である。
【図２】第１の実施形態に係る撮像処理フローである。
【図３】第１の実施形態に係るバッファ構成図である。
【図４】第２の実施形態に係る画像表示処理フローである。
【符号の説明】
【００３５】
１・・・撮像部、２・・・現像処理部、３・・・色空間変換部、４・・・画像処理部、５・・・動画処理部、６・・・静止画処理部、７・・・記録メディア制御部、８・・・記録メディア、９・・・メモリ、１０・・・ＣＰＵ、１１・・・ユーザＩ／Ｆ、１２・・・表示制御部、１３・・・外部表示接続端子
【図１】
2009225401.tif 000003
【図２】
2009225401.tif 000004
【図３】
2009225401.tif 000005
【図４】
2009225401.tif 000006